(57)【要約】      （修正有）【課題】後期高齢者の方や足腰の不自由な方が簡単に操作できる雪道の手押し歩行補助具を提供する。【解決手段】雪道の手押し歩行補助具は進行、後退、方向変換を一箇所ある手押しの横棒１だけで操作し、滑り部分２は進行方向に向かう二本のパイプが雪面に接している部分で、この二本のパイプの間に歩行者が入って進行等の動きをし、左右への横倒しを防止する。手押し部分の横棒の位置は滑り部分の中点より少し手前に設定され、前後への転倒が防止される。【選択図】図１
2014155532.tif 000002
【特許請求の範囲】
【請求項１】
一本のパイプを折り曲げて作る一見単純に見える「雪道の手押し歩行補助具」を製作し、後期高齢者の方々や足腰の不自由のため雪道への外出が敬遠されている方々を積極的に日光浴や外気に触れさせる機会を増やすための雪道の手押し歩行補助具。
【請求項２】
請求項１に記載の雪道の手押し歩行補助具は進行、後退、方向変換を一箇所ある手押しの横棒だけの操作であり、滑り部分は進行方向に向かう二本のパイプが雪面に接している部分でこの二本のパイプの間に歩行の足が入って進行等の動きをする雪道の手押し歩行補助具。
【請求項３】
請求項２によって左右への横倒しを防止し、手押し部分の横棒の位置は滑り部分の中点
より少し手前に設定され、前後への転倒が防止されているので、普通は危険と思われる雪道でもこの「雪道の手押し歩行補助具」の利用で安全な歩行が可能となる雪道の手押し歩行補助具。
【発明の詳細な説明】
【技術分野】
【０００１】
夏期間の歩行補助具は小型の手押し車を利用いるが、冬期間の雪道では雪が車の周りに付着し、車が回らなくなるので冬期間は利用できなくなる。このため、後期高齢者の方々や足腰の不自由な方々にとってはちょっととした買い物や散歩等の外出が出来なくなり、健康上にも害を及ぼすことが懸念されている。現在ではこの手押し車の車の下側に子供のスキ−のような滑り具を敷設した用具もチラホラ見られるようになったが、中には状態のよくない雪道で悪戦苦闘の様子を見かけることもあるので何かよい方法がないものかということで気づいたのがこれから提案しょうとする「雪道の手押し歩行補助具」である。雪道を滑らせる用具なのでスキ−のようなものかなとか、そりのようなものかなと連想される方もおられることと思いますが滑る器具ということでは共通でもスキ−でもない、そりでもない器具。それでも後期高齢者の方々や足腰の不自由な方々が雪道を自分の体重をかけながら散歩できたり少しばかりの買い物ができることを基準にちょっと力学的な考えを取り入れた技術分野である。
【背景技術】
【０００２】
基本的には家の中でも杖や他の補助具を利用しなければ安心して動き回れない人たちを対象にし、しかも滑りやすい雪道での安全な歩行が目標になるので、次のような厳しい条件を乗り越えなければならないものと思っている。
１  素材は滑りやすく水分に強い材料であること
２  構造は上下と角度を十分に検討し、前後左右に倒れにくく、雪上での滑りもよい状      態を構築する
の条件クリアするために住友金属で製作されている「日本ステンレスのＪＯＯ３０６０２７」の２２パイ、４０００ミリのパイプ一本を折り曲げて製作する
利用者の身長等に合わせ、器具の高さを小（８５センチ）、中（９０センチ）、大（９５センチ）として製作し，他に注文に合わせ特注として製作する
【先行技術文献】
【特許文献】
【０００３】
【特許文献１】特開２００６−１９９２５９号公報  そりと車輪を共有した器具で雪のない夏期にはそりをはずして車輪のみで利用する キャリーカートである。この器具は歩行がある程度正常にできる人達の器具であって器具に体重の一部をもたれて歩行する人達の器具としては適していない。
【非特許文献】
【０００４】
【非特許文献１】実用新案登録第３１０４８７６号（Ｕ３１０４８７６）  雪道でもアスファルト路でも使用しやすい高齢者用ショッピングカ−ト」として製品化されたもので、（０００５）より機能面や歩行者の加重力は大きくなっているように思われるが、知力の衰えがめだつ高齢者には多少操作の面で難点が見られることと複雑な構造上から価格の面でも高上がりにつくのではないでしょうか。但しここで考えている高齢者の一ランク上の方々には最適な器具と思われる。
【発明の概要】
【発明が解決しようとする課題】
【０００５】
後期高齢者の中でも 比較的足腰が丈夫なＡグル−プと足腰に自信がなく家の中でも杖が必要なＢグル−プ、車椅子でなければ移動できないＣグル−プに大きく分けることが出来ると思うが、ここではＢグル−プ以上（Ａグル−プも含めて）の人達を対象にして雪道でも安全に歩行できるようにするには「どのような歩行補助具が必要なのか」が大きな課題である。
【課題を解決するための手段】
【０００６】
Ｂグル−プの人達にとっては雪道は除雪した後でも滑りやすい状態になっているので杖だけでの外出は本人も家族の人達も不安を感じているので、ほとんど外出できない状況の中におかれている。
【０００７】
このようなことからＢグル−プの歩行補助具は単純明快な形で、操作するための小道具は少ないほど適している。今回提案の歩行補助具は両手での「押す引く」「方向変換」が主であり、操作は両手でただ一本の横棒だけであり、この横棒はもたれかかりながらの操作でも可能である。このことは足の進退に全身の微妙な動きが連動して決まるものと思われる。
【発明の効果】
【０００８】
１  図１に示しているように一本のパイプを曲げて作られた極めて単純な構造になっているので後期高齢者の方々でも気楽にあつかえる器具である。
【０００９】
２  冬期間でも毎日が吹雪きの連続ではないので，好天の日にはこの歩行補助具を          利用して散歩やちょっとした買い物などで外気に触れたり日光浴をすることで、健康面や精神的な安定につなげることができる。
【図面の簡単な説明】
【００１０】
【図１】雪道の手押し歩行補助具の斜視図である。
【図２】雪道の手押し歩行補助具の側面図である。
【発明を実施するための形態】
【００１１】
雪国に住む後期高齢者の人達や足腰の不自由な人達は雪の降らない土地すむ人達に比べて、冬期間は外気や日光浴に接する機会が少ないことを「地域性」の一言で片付けられているように思われてならない。そしてこのことが後期高齢者や足腰の不自由な方々の健康管理面でも大きな障害になっていることは万人認めるところであろう。
【００１２】
歩行補助具はこのような人達の健康管理も含めて発明したものでありますが多くの方々に理解されるには中々大変なことのようです。そこで特許を出願して公報に掲載して頂くこととか、各種の展覧会などに出品するとか、近所の必要な方々貸し出しの方法をとるなどして、啓蒙をはかり時間をかけてじっくりと計画を進めていきたいものと思っている。
【実施例１】
【００１３】
近くにＡという少し腰の曲がった女の方が住んでいるが夏分は手押し車で買い物と散歩ができるが雪道では滑ったりするのでほとんど外出ができないでこまっていますとのこと。この方へ雪道の手押し歩行補助具のことを話したところ早速実験してみたいとのことでしたので、貸し出したところ、「これは本当よいものだ」とすぐ歩き出し今では買い物や散歩、近所への連絡など不自由なく生活している。
【実施例２】
【００１４】
同じ町内に住むＢという女性、夏の間は子供たちからプレゼントされた電動自転車で勤めにでているが雪の季節は自転車の使用ができなくなる。本人は腰を痛めているので自転車は乗りこなせるが、普通に歩くことは中々厳しいようだ。Ａが雪道の手押し歩行補助具を利用して元気に外歩きをしているのを見て、私も借りてみたいということになり、現在は二人で元気に利用している。
【産業上の利用可能性】
【００１５】
雪国で暮らす総人口の何パーセントかに当たる人達が雪道で困っているとすれば膨大な数に上ることは間違えのないことのようだ。勿論この数の全員が必要としているわけでなくそのまた数パーセントの方々がいろいろの種別の補助具を利用していることも考えられます。中には補助具について必要と思いながら気づいていない方々もおられることも事実だと思われる。
【００１６】
ことから、雪国で暮らす後期高齢者や足腰の不自由な方々の健康管理のためにも啓蒙活動が必要であり、そのことによって産業上の利用可能性が増大するものと思われる。
【符号の説明】
【００１７】
１  横棒の手押し部分
２  雪面の滑り部分
３  キャップ
４  支柱部分
５  滑り部分の曲がり
６  手押し部分へのまがり
７  支柱と滑り部分の角度(約８０度)
【図１】
2014155532.tif 000003
【図２】
2014155532.tif 000004